(57)【特許請求の範囲】
【請求項１】
演算処理装置および記憶装置と入力装置と表示装置を備え、前記記憶装置に記憶されている車両運用データに基づいて車両の運用および作業を管理する車両運用業務支援システムにおける車両の清掃作業計画作成方法であって、
基本運用から変更された運用計画上に設定されている特定の清掃作業を清掃作業計画に割り当てる第１ステップと、
前記特定の清掃作業のいずれかにおいて清掃作業計画に割り当てる候補が複数存在する場合に、前記運用計画における運用の間合いを認識して、当該間合いにおいて作業可能な複数の編成を提示し、前記入力装置からの入力によって指定された編成に当該特定の清掃作業を割り当てる第２ステップと、
基本運用上で前記特定の清掃作業よりも高い頻度で設定されている所定の清掃作業を清掃作業計画に割り当てる第３ステップと、
を含むことを特徴とする車両の清掃作業計画作成方法。
【請求項２】
前記第１ステップ〜第３ステップにより設定された清掃作業計画に基づいて、作業場所および作業日ごとに実施すべき作業の一覧を記載した帳票を作成する第４ステップをさらに含むことを特徴とする請求項１に記載の車両の清掃作業計画作成方法。
【請求項３】
前記特定の清掃作業には、実施可能なすべての種類の清掃が含まれる大規模清掃作業と汚物処理作業とが含まれ、
前記大規模清掃作業は回帰日数で周期管理し、前記汚物処理作業は車両の走行距離で管理して、割り当てを決定することを特徴とする請求項１または２に記載の車両の清掃作業計画作成方法。
【発明の詳細な説明】
【技術分野】
【０００１】
本発明は、輸送障害が発生した際の運転整理に伴う車両運用の変更を元の計画運用に戻す作業等を支援する車両運用業務支援技術に関する。
【背景技術】
【０００２】
鉄道輸送において列車の安全かつ円滑な運行を行うためには、列車ダイヤに電車などの車両（編成）を割り当てて、列車として運転できるように整備されていることが必要である。このような車両の使用計画のことを車両運用といい、おおむね１日周期で作成されている。基本的にはそれぞれの運用は例えば１か月のような期間で循環して繰り返され、定期的に検査等が実施できるように計画されており、計画運用と呼ばれている。
ところが、車両故障や事故、災害などによって、列車運行に乱れが生じた時には、ダイヤを適切に変更して、列車の運行を正常に戻す運転整理が行われる。この運転整理によって車両運用も計画とは大幅に変更になる。変更の仕方によっては、ダイヤ平復が遅れたりダイヤ平復後の運用戻しに手間取るといったことが発生する。
【０００３】
従来、列車運行に乱れが生じた時には、ダイヤを適切に変更して列車の運行を正常な運行に戻す運転整理に関しては、例えば特許文献１に開示されているような発明が提案されているが、運転整理によって車両運用に変更が生じ、そのままでは所定の期日までに実行しなければならない仕業検査や交番検査が実行できなくなるおそれがある。そのため、ダイヤ平復後に、変更された車両運用を計画運用に戻す必要がある。
【０００４】
ダイヤ平復後に、検査予定車両の未入区や車両形式等の違いによる入線不可車両の入線が当日中に発生する場合は、運用担当指令と車両配置区所等（車両基地）の車両区所当直でチェックして、回避するための車両運用変更を輸送指令に依頼していた。１線区に２車種以上存在する線区の場合は、車種を元の計画に戻すための運用変更も必要である。さらに、２箇所以上の車両配置区所等（車両基地）が存在する線区の場合は、それぞれの所属の車両を元の車両配置区所に戻すための運用変更も必要である。また、当日行う車両運用変更の方法としては、区所入区後の差し替え、折返し駅における折返変更、車両交換等がある。なお、「車種」とは一般的には車両の型の相違を意味するが、本明細書では、車両の連結数などの編成形態が異なるもの（例えば５両編成と１０両編成）を指す用語として使用する。
【先行技術文献】
【特許文献】
【０００５】
【特許文献１】特許第４６７００８１号公報
【発明の概要】
【発明が解決しようとする課題】
【０００６】
従来、この運用戻しは、もっぱら手作業によって行われており、多大な労力と時間を要するという課題があった。具体的には、運用戻しは、先ず、車両の運用を担う車両配置区所等（車両基地）で、輸送指令からＦＡＸなどにより送付された運転計画書の内容（運転変更指示）を列車ダイヤに記入し、車両の運用、編成を把握することから開始される。その後、車両配置区所は、翌日以降の検査予定等にあわせるため、自区所入区後に車両の差し替えを行うことにより元の月間運用計画へ戻す計画を立てることとなる。なお、「編成」とは複数の車両を連結したものを意味し、それらを区別するために付与されるのが編成番号である。また、「運用」は、編成単位の１日の運行スケジュールで、それらを区別するために付与されるのが運用番号である。
【０００７】
また、清掃や給水など周期的に行う必要のある作業も、基本の計画運用で実施が設定されており、ダイヤ乱れに伴う運用変更や臨時の検査や修繕の設定によって計画通りに実施できないことがあるが、従来は人手による再設定（再計画）であったため、見逃しが発生するおそれがあった。さらに、車体洗浄は実施可能な車両配置区所において、またそれ以外の清掃や給水も実施可能な駅においてそれぞれ行なわれる必要があるとともに、最低所要時間が確保されなければならない（運用の間合いが所定時間以上ないと実施できない）が、これらの条件を満たさない箇所に作業を設定しまうおそれがあり、それによって列車の遅延を招くという課題があった。
【０００８】
本発明は、上記のような事情に鑑みてなされたもので、車両運用が変更された場合に行われる清掃等の作業の再設定に際して、好適な作業割当て案を作成し提示することが可能な車両運用業務支援システムおよび車両の清掃計画作成方法を提供することを目的とするものである。
本発明の他の目的は、車両運用が変更された場合に行われる清掃等の作業の再設定に際して、実施現場からの要望を反映することができる作業割当て案を作成し提示することが可能な柔軟性の高い車両運用業務支援システムおよび車両の清掃計画作成方法を提供することにある。
【課題を解決するための手段】
【０００９】
前記課題を解決するために、本発明は、
演算処理装置および記憶装置と入力装置と表示装置を備え、前記記憶装置に記憶されている車両運用データに基づいて車両の運用および作業を管理する車両運用業務支援システムにおける車両の清掃作業計画作成方法であって、
基本運用から変更された運用計画上に設定されている特定の清掃作業を清掃作業計画に割り当てる第１ステップと、
前記特定の清掃作業のいずれかにおいて清掃作業計画に割り当てる候補が複数存在する場合に、前記運用計画における運用の間合いを認識して、当該間合いにおいて作業可能な複数の編成を提示し、前記入力装置からの入力によって指定された編成に当該特定の清掃作業を割り当てる第２ステップと、
基本運用上で前記特定の清掃作業よりも高い頻度で設定されている所定の清掃作業を清掃作業計画に割り当てる第３ステップと、
を含むようにしたものである。
【００１０】
ここで、「特定の清掃作業」としては全般清掃、計画清掃、汚物抜きの作業が考えられ、「所定の清掃作業」としては簡易清掃、日常清掃、車体洗浄、給水等の作業が考えられる。
上記のような方法によれば、運用計画上に設定されている特定の清掃作業と、基本運用上で設定されている所定の清掃作業を、自動的に清掃作業計画に割り当てることができる。また、運用計画における運用の間合いに作業可能な複数の編成を提示し、作業者が選択指定することができるため、実施現場からの要望を反映することができる作業割当て案を作成し提示することができる。さらに、清掃作業計画案を、逐次方式で作成するため、高速なコンピュータを使用しなくても作成して提示することができる。
【００１１】
ここで、望ましくは、前記第１ステップ〜第３ステップにより設定された清掃作業計画に基づいて、作業場所および作業日ごとに実施すべき作業の一覧を記載した帳票を作成する第４ステップをさらに含むようにする。
かかる手法によれば、従来は人手で行なっていた帳票の作成を、演算処理装置（ＣＰＵ）等を用いて自動的に作成することができ、それによって作業効率を著しく高めることができる。
【００１２】
また、望ましくは、前記特定の清掃作業には、実施可能なすべての種類の清掃が含まれる大規模清掃作業と汚物処理作業とが含まれ、
前記大規模清掃作業は回帰日数で周期管理し、前記汚物処理作業は車両の走行距離で管理して、割り当てを決定するようにする。
ここで、「大規模清掃作業」とは実施例における全般清掃を意味する。
かかる手法によれば、期限管理と距離管理とを使い分けているため、作業の内容に応じて適切な時期にそれぞれの作業を実施することができ、無駄なコストが発生するのを防止することができる。
【００１３】
また、本出願に係る他の発明は、
演算処理装置および記憶装置と入力装置と表示装置を備え、前記記憶装置に記憶されている車両運用データに基づいて車両の運用および作業を管理する車両運用業務支援システムにおいて、
前記演算処理装置は、
基本運用から変更された運用計画上に設定されている特定の清掃作業を清掃作業計画に割り当てるとともに、基本運用上で前記特定の清掃作業よりも高い頻度で設定されている所定の清掃作業を清掃作業計画に割り当てる機能を有する作業計画作成手段と、
前記作業計画作成手段によって作成された清掃作業計画に基づいて、作業場所ごとに実施すべき作業の一覧を記載した帳票を作成し出力する帳票作成手段と、
を備えるように構成したものである。
かかる構成によれば、運用計画上に設定されている特定の清掃作業と、基本運用上で設定されている所定の清掃作業を、自動的に清掃作業計画に割り当てることができる。また、従来は人手で行なっていた実施作業の一覧を記載した帳票を自動的に作成し出力することができる。
【００１４】
また、望ましくは、前記演算処理装置は、前記入力装置からの作業終了の入力に基づいて、編成ごとに作業実績を前記記憶装置に記憶して管理する作業実績管理手段を備え、
前記作業計画作成手段は、前記記憶装置に記憶されている前記作業実績を参照して前記特定の清掃作業および所定の清掃作業を日数で周期管理し、前記割り当てを決定するように構成する。
かかる構成によれば、回帰日数が決められている作業を日数で周期管理することができるため、所定期間以上にわたって作業が実施されない編成が発生するのを回避することができる。
【発明の効果】
【００１５】
本発明によれば、車両運用が変更された場合に行われる清掃等の作業の再設定に際して、好適な作業割当て案を作成し提示することが可能な車両運用業務支援システムおよび車両の清掃計画作成方法を実現することができる。また、車両運用が変更された場合に行われる清掃等の作業の再設定に際して、実施現場からの要望を反映することができる作業割当て案を作成し提示することが可能な柔軟性の高い車両運用業務支援システムおよび車両の清掃計画作成方法を実現することができるという効果がある。
【図面の簡単な説明】
【００１６】
【図１】本実施形態の車両運用業務支援システムを構成する車両運用業務支援装置の一例を示す構成図である。
【図２】車両運用業務支援装置の各機能部とデータ記憶部に記憶されている各データとの関連を示す相関図である。
【図３】実施形態の車両運用業務支援装置における運用表画面の一例を示す図である。
【図４】実施形態の車両運用業務支援装置における運用順序表（横棒ダイヤ）の画面の一例を示す図である。
【図５】実施形態の車両運用業務支援装置において、図３の運用表画面または図４の運用順序表画面で「運用一括入力」機能を選択した際に表示されるダイヤログボックス（サブ画面）の一例を示す図である。
【図６】実施形態の車両運用業務支援装置において、図３の運用表画面または図４の運用順序表画面で「作業割当」機能を選択した際に表示されるダイヤログボックスの一例を示す図である。
【図７】実施形態の車両運用業務支援装置の作業計画作成部による清掃等の作業を割り当てる作業計画作成処理の手順の一例を示すフローチャートである。
【発明を実施するための形態】
【００１７】
以下、図面を参照しつつ、本発明に係る車両運用業務支援システムの実施形態について説明する。
図１は、本実施形態の車両運用業務支援システムの一実施例を示す。
車両運用業務支援装置１００は、ＣＰＵ（中央演算処理装置）等の演算処理装置で構成される処理実行制御部１１０、ＲＯＭ（リードオンリメモリ）やＲＡＭ（ランダムアクセスメモリ）等の記憶装置で構成されるデータ記憶部１２０、キーボード１４１やマウス１４２などの入力操作装置からの入力を処理する入力処理部１３１、液晶パネル等の表示装置１４３に画像を表示させる表示処理部１３２、及びこれらの間でデータの送受信を可能に接続するバス１３３などからなる。本実施形態では、上記車両運用業務支援装置１００と、入力操作装置（１４１，１４２）と、表示装置１４３とによって車両運用業務支援システムが構成されている。
【００１８】
本実施形態では、処理実行制御部１１０は、車両運用データに基づいて運用表を作成したり変更する機能を有する運用表編集処理部１１１、運用ダイヤ（山ダイヤ）を作成したり変更する機能を有する運用ダイヤ編集処理部１１２、運用順序表（横棒ダイヤ）を作成したり変更する機能を有する運用順序表編集処理部１１３、清掃等の作業を割り当てる清掃作業計画を作成する機能を有する作業計画作成部１１４、作成された清掃作業計画に基づいて各種帳票を作成し出力する機能を有する帳票作成部１１５、清掃等の実績を管理する作業実績管理部１１６などの機能部を備える。
【００１９】
また、データ記憶部１２０には、上記処理実行制御部１１０が実行する車両運用整理支援プログラムを格納するプログラム記憶部１２１、車両運用の基礎となる車両運用データを格納する車両運用データ記憶部１２２、車両運用データに基づいて生成される運用表データを格納する運用表データ記憶部１２３、運用表で割り当てられた全般清掃、計画清掃、汚物抜き、簡易清掃、日常清掃、車体洗浄、給水等の作業の実績データを格納する作業実績管理データ記憶部１２４等が設けられている。
ここで、「全般清掃」は例えば月単位の周期で行なわれる大規模な清掃で、「計画清掃」は車両各部位の状態に応じて計画される中規模の清掃、「簡易清掃」は最も簡単な清掃、「日常清掃」は小規模の清掃、「車体洗浄」は車両の外部洗浄である。
特に限定されるものでないが、本実施形態では、全般清掃等各作業に要する時間が例えば作業実績管理データ記憶部１２４に格納されている
【００２０】
車両運用データは、管理下に置かれている全編成すなわち運用対象の車両基地に属する全編成について、編成単位の１日の運行スケジュール（列車番号、列車種別、行き先、前半運用の列車番号、後半運用の列車番号と、当該列車の駅毎の到着時間、駅出発時間、使用する番線などの情報）を記述したもので、当該車両運用業務支援システムとは別のシステムである車両管理計画システムにより基本運用データが作成され、車両運用データ記憶部１２２に予め格納される。また、運用の中には、仕業検査や交番検査等の検査作業、簡易清掃、日常清掃、車体洗浄、給水等の作業も割り当てられている。ここで、「編成」とは複数の車両を連結したものを意味し、それらを区別するために付与されるのが編成番号である。また、「列車番号」とは、時刻表（ダイヤ）上で列車を区別するために付与される番号である。車両運用データ記憶部１２２に記憶される車両運用データには、各編成のローテーションを設定した基本運用データと、日付をつけて使用予定を設定した計画運用データ（当初の運用）と、輸送混乱等による変更運用データとがあり、これらのデータが上書きされることなくそれぞれ記憶される。
【００２１】
図２には、上記各機能部１１１〜１１６と、データ記憶部１２０に記憶されている車両運用データや運用表データ、作業実績データなどのデータとの関連が示されている。
図２に示されているように、本実施形態では、運用表編集処理部１１１が車両運用データ記憶部１２２から車両運用データを読み出して運用表データを作成して運用表データ記憶部１２３に格納する。また、運用ダイヤ編集処理部１１２が運用表データ記憶部１２３から運用表データを読み出して運用ダイヤを作成し、運用順序表編集処理部１１３が運用表データ記憶部１２３から運用表データを読み出して運用順序表を作成して、表示処理部１３２が作成された運用ダイヤや運用順序表を表示装置１４３に表示させる。
【００２２】
また、運用表編集処理部１１１が車両運用データ記憶部１２２や運用表データ記憶部１２３からデータを読み出して図３に示すような運用表を作成し、作成された運用表を表示処理部１３２が表示装置１４３に表示させる。さらに、作業計画作成部１１４が車両運用データ記憶部１２２や運用表データ記憶部１２３、作業実績管理データ記憶部１２４からデータを読み出して入力操作装置１４１から入力された情報に基いて清掃作業計画を作成し表示装置１４３に表示させたり運用表データ記憶部１２３に格納する。また帳票作成部１１５が運用表データ記憶部１２３からデータを読み出して加工して帳票を作成し、作業実績管理部１１６が実施された作業の実績を作業実績管理データ記憶部１２５内に記憶し、管理する。
【００２３】
図３には上記運用表編集処理部１１１により生成される運用表とこの表を表示する画面の構成例が、また図４には上記運用順序表編集処理部１１３により生成される運用順序表（横棒ダイヤ）とこれを表示する画面の構成例が示されている。
図３に示されているように、運用表は、左側の縦の欄に運用対象の編成番号Ａ０１，Ａ０２，Ａ０３……が順に記述され、上側の横の欄に日付が順に記述され、縦欄と横欄の交差する位置（マス目）に運用番号が＃１，＃２，＃３……が記述されている。マス目に六角形の印が付されている運用は、当日に清掃等の作業が設定されていることを意味している。図３は基本となる計画運用表であり、この図から分かるように、運用番号＃１，＃２，＃３……は、各編成に対して例えば１か月のような期間で循環して割り当てられる。
【００２４】
なお、運用表の表示画面の上部には、作業メニュー欄ＷＭＣに設けられ、この作業メニュー欄ＷＭＣには、「運用ダイヤ」や「運用順序表」など他の表示に切り替えるための「表示切替」ボタンＤＢ、運用グループを切り替えるための「運用グループ切替」ボタンＧＢ、日付を切り替えるための「日付切替」ボタンＣＢ、「運用一括変更」や「作業割当」などの機能を選択するための「機能」ボタンＦＢが設けられている。
【００２５】
ここで、「運用グループ」とは、所属する車両基地（Ａ車両基地とＢ車両基地等）や車種（５両編成または１０両編成等）によって編成を分類して、グループ分けしたものを意味する。基本設定（計画運用）では、運用グループごとに運用順序が循環設定される。
また、「機能」ボタンＦＢにより選択可能な機能には、複数の運用の変更を一括で入力するための「運用一括変更」と、列車の運用や検査の割当を設定するための「運用割当」と、清掃等の作業の割当を設定するための「作業割当」等がある。「運用割当」機能では、運用番号の変更の他、仕業検査や交番検査などの検査作業の割当てが可能である。また、「作業割当」機能では、全般清掃、計画清掃、汚物抜き、その他の指定作業（簡易清掃、日常清掃、車体洗浄、給水等）の作業の割当てが可能である。運用や検査の割当を設定する「運用割当」と清掃等の作業の割当を設定する「作業割当」を、「運用作業割当」として１つの機能で実現するように構成しても良い。
【００２６】
図４に示されているように、運用順序表（横棒ダイヤ）は、縦軸に運用番号が＃１，＃２，＃３……を記述し、横軸に時刻をとって、運用のつながりを線（サオ）で表したものである。また、各運用＃１，＃２，＃３……に該当させる編成の番号Ａ０１，Ａ０２，Ａ０３……を、運用番号＃１，＃２，＃３……の隣に記載してある。さらに、運用のつながりを示す線（サオ）には、対応する列車番号T11U,T12U,T13U……; T21D,T22D,T23D……が付記してある。このような運用順序表を表示することによって、各運用の相互関係や検査の割り当てを容易に把握することができる。
なお、図４において、○印は当該列車が「出区」であることを意味し、△は当該列車が「入区」であることを意味している。
【００２７】
前述したように、運用の中には、簡易清掃、日常清掃、車体洗浄、給水等の作業も割り当てられており、図４の運用順序表においては、これらの作業が、例えば六角形の印の中に「掃」（区別する場合には、例えば「簡」、「常」、「外」、「給」等）なる文字が付記された記号で表示され、その時間帯でそれらの作業が計画されていることが示されている。
また、図示しないが、運用順序表には、各運用に割り当てられた「仕業検査」や「交番検査」が、例えば○印の中に「仕」や「交」なる文字などが付記された記号として表示される。なお、「仕業検査」は、例えば２−６日毎の短い周期で行なわれる検査で、集電装置や台車、ブレーキなど特に運転に必要不可欠な装置の点検を、車両を運用から外さずに行う検査である。また、「交番検査」は、仕業検査よりも長い周期（例えば３０日）で行われるもので、仕業検査と同じく車両を分解せずに行われる検査であるが、仕業検査よりも詳細な検査が行われる。
【００２８】
なお、図３および図４において、作業メニュー欄ＷＭＣに設けられている符号ＤＢが付されているボタンは、表示切替ボタンであって、この表示切替ボタンＤＢをマウス１４２でクリックすると、「運用表」、「運用ダイヤ」、「運用順序表」の３つの語が列記されたサブ画面が表示され、３つの中から１つを選択してクリックすると、表示装置１４３に対応する画面が切替え表示されるように構成されている。
また、作業メニュー欄ＷＭＣには、「運用グループ切替」ボタンＧＢが設けられており、「運用グループ切替」ボタンＧＢをクリックすると複数の「運用グループ」が列記されたサブ画面が表示され、これらの中から１つを選択してクリックすると、表示装置１４３の表示画面が、選択された運用グループの運用表画面や運用順序表画面に切り替わるように構成されている。
【００２９】
本実施形態の車両運用業務支援装置１００の処理実行制御部１１０には、上述したような機能の他に、変更の入力機能と、検索機能と運用変更機能が設けられている。
このうち、先ず検索機能は、運用ダイヤの画面と図４に示す運用順序表の画面において可能である。具体的には、各画面の上部のメニュー欄に、「列番検索」ボタンＳＢ１や「運用検索」ボタンＳＢ２、「編成検索」ボタン（運用ダイヤ上でのみ可）ＳＢ３が設けられており、マウス１４２を操作してこれらのボタンのいずれかにカーソルを合わせて、マウス１４２の左ボタンをクリックすると、番号を入力するサブ画面が出現するので、キーボード１４１を使用して、列車番号または運用番号または編成番号を入力する。
【００３０】
すると、運用ダイヤの画面では、例えば選択された番号の「スジ」が太線等で強調表示され、図４の運用順序表の画面では、選択された「列車」または「運用」が一番上に表示されるようなスクロール処理が行われるようになっている。これにより、検索対象の列車や運用の内容をいち早く把握することができる。
上述したように、本実施形態の車両運用業務支援装置は、「運用表」、「運用ダイヤ」、「運用順序表」の３つの画面を選択表示させることができるとともに、「運用ダイヤ」、「運用順序表」の画面において、列車番号や運用番号等を指定して検索し強調表示させる機能が設けられているため、ダイヤ平復後に、変更された車両運用を計画運用に戻す運用戻しを実行するに際して、担当者が現状を迅速かつ正確に把握することができる。
【００３１】
次に、運用変更機能について説明する。
図５には、「機能」ボタンＦＢから「運用一括変更」が選択された場合に表示される「運用変更一括入力画面」の一例が示されている。なお、この「運用一括変更」は、運用表画面（図３）の「機能」ボタンＦＢにより選択されることで有効にされる。
この「運用変更一括入力画面」において、輸送指令からの運転計画書に記載されている内容を見ながら、変更入力欄ＴＬＣへ運用の変更を順次入力してから、「登録」ボタンＲＢをクリックすると変更後の現在の状態（運用実績）がシステムに反映されることとなる。
【００３２】
また、運用や作業の変更は、図３の運用表画面や図４の運用順序表表示画面において、メニュー欄の一番左側の「機能」ボタンＦＢをクリックすると表示されるサブ画面で、「運用割当」あるいは「作業割当」を選択することで個別に行うことも可能である。
そして、入力された変更の内容（運用や作業）は、運用表データに直ちに反映されるとともに、横棒ダイヤの画面（図４）、運用表画面（図３）へも、変更した運用内容を反映し表示可能に構成されている。
【００３３】
次に、運用表画面のメニュー欄の「機能」ボタンＦＢにより選択可能な、清掃等の作業の割当を設定するための「作業割当」機能について説明する。
図６には、上記「機能」ボタンＦＢをクリックすることで表示されるサブ画面において、「作業割当」が選択された際に表示されるダイヤログボックスの一例が示されている。
図６に示すように、「作業割当」のダイヤログボックスには、日付を指定するための「日付」ボタンＤＢや、編成番号を指定するための「編成番号」ボタンＴＢが設けられている。
【００３４】
また、「作業割当」のダイヤログボックスには、チェックマークを付けることで、割り当てを行う作業を選択指定するためのチェックボックスとして、「全般清掃」、「計画清掃」、「汚物抜き」の各チェックボックスＣＢ１〜ＣＢ３が設けられている。さらに、簡易清掃等他の作業の割当ての選択を行えるようにするために、「その他指定作業」の選択ボタンＳＢ１，ＳＢ２が設けられている。この「その他指定作業」の選択ボタンＳＢ１，ＳＢ２をクリックすると、簡易清掃、日常清掃、車体洗浄、給水等の作業がリストで表示されるので、それらの中から設定したい作業を選択することによって割当てを行うことができる。
また、ダイヤログボックスの下部には、上記ボタンやチェックボックスで指定した変更内容を確定し記憶させるための「登録」ボタンＲＢおよび入力した設定を取り消すための「キャンセル」ボタンＣＡＮが設けられている。
【００３５】
次に、前記作業計画作成部１１４による清掃等の作業計画の作成処理の詳細について、図７のフローチャートを用いて説明する。なお、ここでは、この作業計画作成処理が開始される前に、図５の「運用変更一括入力画面」を用いて、その時点における運用変更が入力されて、基本運用が変更されているものとする。
清掃等の作業計画の作成処理は、前述したように、図３の運用表画面のメニュー欄の「機能」ボタンＦＢにより「作業割当」を選択することで開始され、先ず図６に示す「作業割当」のダイヤログボックスを表示する（ステップＳ１）。そして、作業者がこのダイヤログボックスの日付ボタンＤＢをクリックして、計画を立てたい日を選択する（ステップＳ２）。
【００３６】
すると、作業計画作成部（ＣＰＵ）１１４は、基本計画から変更された計画上の選択された日に設定されている全般清掃、計画清掃、汚物抜きの各作業を自動で割り当てる処理を行なう（ステップＳ３）。具体的には、それぞれ作業を実施可能な場所（車両基地や駅等）が決まっているので、計画上の各作業を実施可能な場所に割り当てて行くとともに、運用表の対応する運用に作業のマーク（六角形と「全」や「計」などの文字）を付記して表示する。また、自動割当の際に、作業計画作成部１１４は、全般清掃は回帰日数で実施時期を周期管理し、汚物抜きは車両の走行距離で管理して、割り当てを決定する。
【００３７】
車両はほとんど野外で留置または走行されるため走行距離に関係なく汚れが発生するので、全般清掃は日数で管理するのが妥当であるのに対し、汚物は日数よりも走行時間（走行距離）で量が決まることが多い。そのため、上述したように汚物抜き作業は走行距離で管理することで、過剰な作業計画による無駄なコストの発生を抑制しつつ、実情に合った適切な間隔で作業を実施することができる。ただし、汚物抜き作業も回帰日数で実施時期を周期管理するようにしてもよい。
また、本実施形態では、作業が完了すると作業終了が車両運用業務支援装置１００に入力され、作業実績管理部１１６が作業実績管理データ記憶部１２４を更新するため、上記のような周期管理を正確に行うことができる。ただし、上記ステップＳ３で割り当てが決定されると、自動的に実績としてカウントするようにしても良い。これにより、煩わしい作業終了の入力を省略することができる。
【００３８】
なお、走行距離は、計器による実測値ではなく、運用表の運用から走行区間や経路が分かれば、予め駅間のキロ程は分かっているので、計算によって求めることができる。また、ステップＳ３で、簡易清掃、日常清掃、車体洗浄、給水等の作業が自動割り当てされないのは、これらの作業は基本運用で余裕をもって幾つも設定されていて自由度が高いためである。
作業計画作成部１１４は、ステップＳ３の処理で複数の候補が存在する場合には、あえて割り当ての決定はせずにステップＳ４へ進み、運用表で間合い（作業実施可能な場所での停車時間）を認識して、各間合いにおいて全般清掃、計画清掃、汚物抜きの作業が可能な複数の編成を表示する。
【００３９】
そして、作業者が、表示されている編成の中から作業を実施したい編成を選択し、割り当てを行う。具体的には、図６のダイヤログボックスで、コンボボックスからなる編成番号ボタンＴＢをクリックして編成を選択し、全般清掃、計画清掃、汚物抜きの作業のチェックボックスＣＢ１〜ＣＢ３にチェックを入れることで選択、割当てを行う。このように選択が可能であることにより、作業現場の担当者からの要望を加味した割当てを行うことができる。
上記処理により、計画上の全般清掃、計画清掃、汚物抜きの作業の割当てが終了すると、ステップＳ６へ進み、基本運用で設定されている簡易清掃、日常清掃、車体洗浄、給水等の作業を自動で割り当てられるとともに、運用表の対応する運用に作業のマーク（六角形と文字等）を付記して表示する。なお、マークは同一とし、マークの表示色を変えることで、作業を区別するようにしてもよい。
【００４０】
ステップＳ６における簡易清掃、日常清掃、車体洗浄、給水等の作業の割当てに際しては、全般清掃、計画清掃、汚物抜きの作業と同じタイミングで行える作業は、ステップＳ３で既に設定されている編成に対して、車体洗浄、給水等の作業が重複して割り当てられ、全般清掃、計画清掃、汚物抜きの作業と同じタイミングで行えない作業に関しては、ステップＳ３で既に設定されている編成に対して割り当てられない。簡易清掃、日常清掃、車体洗浄、給水等の作業は前述したように余裕をもって複数設定されているため、全般清掃、計画清掃、汚物抜きの作業の設定で、基本運用で設定されているところで設定が行えなくなったとしても大きな支障は生じない。
【００４１】
その後、ステップＳ７へ進み、作業計画内容が確定（登録ボタンＲＢがクリック）されたか否かの判定をする。ここで、作業計画内容が確定していない（Ｎｏ）と判定すると、ステップＳ２へ戻り、作業計画内容が確定した（Ｙｅｓ）と判定すると、ステップＳ８へ進み、当該作業計画内容を運用表データ記憶部１２３に格納（登録）する。続いて、帳票の作成要求があったか否かの判定し、帳票作成要求があった（Ｙｅｓ）と判定すると、ステップＳ１０へ進み、指定場所および指定日の実施すべき作業と対象編成の一覧を記載した帳票（作業発注書、作業管理表等）を作成し、出力する。また、ステップＳ９で、帳票作成要求がなかったときはそのまま処理を終了する。
【００４２】
以上の説明から、本実施形態における清掃等の作業計画作成処理は逐次型の処理であることが分かる。そして、このような逐次型の清掃等の作業計画作成処理を実行することによって、完成度の高い清掃作業計画案を１回の処理で提案する方法に比べて、装置の負担を減らすことができ、処理速度の遅いＣＰＵであっても比較的短い時間で、満足できる運用整理案を提案することができる。また、作業計画作成部１１４にエラーチェック機能を持たせて、ステップＳ５で作業者が選択した編成が、指定された作業を行えないところに設定されていないかチェックをして、設定エラーがあった場合には、例えば図６の画面のコメント欄に、エラーを表示するなどの注意喚起（ワーニングやアラーム）を行うようにしても良い。
【００４３】
以上本発明者によってなされた発明を実施形態に基づき具体的に説明したが、本発明は前記実施形態に限定されるものではない。例えば、前記実施形態では、運用変更を入力する機能として、一括入力機能と個別入力機能とがあると説明したが、それ以外に、例えば車両に搭載したＧＰＳ機能を利用して走行実績を記録可能な編成追跡システムや実施ダイヤ変更情報を把握している輸送管理システムのような他のシステムから、通信で変更情報を取り込むように構成することも可能である。
また、前記実施形態では、運用表編集処理部１１１と運用ダイヤ編集処理部１１２と運用順序表編集処理部１１３と作業計画作成部１１４と帳票作成部１１５と作業実績管理部１１６を、１つのＣＰＵで構成しているが、これらの機能部を複数のＣＰＵで構成するようにしても良い。
【符号の説明】
【００４４】
１００  車両運用業務支援装置
１１０  処理実行制御部
１１１  運用表編集処理部
１１２  運用ダイヤ編集処理部
１１３  運用順序表編集処理部
１１４  作業計画作成部
１１５  帳票作成部
１１６  作業実績管理部
１２０  データ記憶部
１２１  車両運用業務支援プログラム記憶部
１２２  車両運用データ記憶部
１２３  運用表データ記憶部
１２４  作業実績管理データ記憶部
１４３  表示装置
【図１】
0006603539.tif 000002
【図２】
0006603539.tif 000003
【図３】
0006603539.tif 000004
【図４】
0006603539.tif 000005
【図５】
0006603539.tif 000006
【図６】
0006603539.tif 000007
【図７】
0006603539.tif 000008